(57)【要約】【課題】枠部材の防水を構成部品を増やすことなく確実に行え、さらに、分解修理等も可能であるカメラのレンズ鏡枠装置を提供すること。【解決手段】本カメラのレンズ鏡枠装置には、カム枠２の回転と進退移動によって進退駆動される第一群枠３と、第一群枠３に固着されるフォーカス枠４と、フォーカス枠４によって進退駆動される第一群レンズ枠５とを有しており、第一群枠３と第一群レンズ枠５との間には、可撓性のある伸縮自在の遮光ゴム１５が配されている。第一群枠３の外周には外装用金属製外枠１３が被せられる。その状態で第一群枠３と外枠１３との間に遮光ゴム１５の取り付け部１５ａを圧縮挟持することによって、第一群枠３と外枠１３との嵌合部を外部に対して遮蔽して防水状態とする。第一群枠３と外枠１３とは接着を行わずカムフォロア１１の圧入固着によって係止状態となる。【選択図】図１
2005338415.tif 000002
【特許請求の範囲】
【請求項１】
保持枠と、
上記保持枠内に支持され、撮影光学系の光軸方向に移動可能な移動枠と、
上記保持枠の前面部に対して固定保持されるための一端部と、上記移動枠に固定保持されるための他端部とを有し、上記移動枠の光軸方向移動に応じて伸縮自在であって、且つ外部からの塵や水を遮蔽可能に形成された弾性部材と、
上記保持枠の外周に設けられた複数の突起部と、
上記保持枠の上記前面部及び外周面を覆うように筒伏に形成されていて、上記保持枠の前面部側から光軸方向に沿って被せるようにして、組み込まれるキャップ部材と、
組み込まれる上記キャップ部材を光軸方向及び円周方向に対して固定保持するために、上記キャップ部材に形成され、複数の上記突起部に対して係合するように設けられた複数の係合部と、
を具備し、
上記弾性部材の上記一端部は、上記保持枠の前面部と上記キャップ部材との光軸方向の間に挟まれるようにして、固定されることを特徴とするカメラのレンズ鏡枠装置。
【請求項２】
上記突起部は、上記保持枠が光軸方向に駆動するためのカム部材のカム部に係合するカムフォロアを兼用していることを特徴とする請求項１記載のカメラのレンズ鏡枠装置。
【請求項３】
上記弾性部材は、弾性ゴムであることを特徴とする請求項１記載のカメラのレンズ鏡枠装置。
【請求項４】
上記弾性部材は、上記一端部の前面が、上記キャップ部材と上記保持枠の前面部との間に挟まれるようにして固定保持されることを特徴とする請求項１記載のカメラのレンズ鏡枠装置。
【請求項５】
上記弾性部材の一端部の前面には、全周にわたって突条部が形成されていて、上記突条部は上記キヤツプ部材により押圧変位されることを特徴とする請求項４記載のカメラのレンズ鏡枠装置。
【請求項６】
さらに、上記弾性部材の一端部の前面における周方向の複数箇所には、上記キャップ部材と当接して光軸方向に変形可能な他の突条部が形成されていることを特徴とする請求項５記載のカメラのレンズ鏡枠装置。
【請求項７】
保持枠と、
上記保持枠の前面部に全周にわたって配設された弾性部材と、
上記保持枠の外周に設けられた複数の突起部と、
上記保持枠の上記前面部及び外周面を覆うように筒状に形成されていて、上記保持枠の前面部側から光軸方向に沿って被せるようにして、組み込まれるキャップ部材と、
組み込まれる上記キャップ部材を光軸方向及び円周方向に対して固定保持するために、上記キャップ部材に形成され、複数の上記突起部に対して係合するように設けられた複数の係合部と、
を具備し、上記キャップ部材は、上記保持枠に配設された上記弾性部材を押圧変形するように当接して、上記保持枠に対して容易に着脱可能に固定保持されることを特徴とするカメラのレンズ鏡枠装置。
【請求項８】
上記突起部は、上記保持枠が光軸方向に駆動するためのカム部材のカム部に係合するカムフオロアを兼用していることを特徴とする請求項７記載のカメラのレンズ鏡枠装置。
【請求項９】
上記弾性部材は、弾性ゴムであることを特徴とする請求項７記載のカメラのレンズ鏡枠装置。
【請求項１０】
上記弾性部材は、前面が上記キャップ部材と上記保持枠の前面部との間に挟まれるようにして固定保持されることを特徴とする請求項７記載のカメラのレンズ鏡枠装置。
【請求項１１】
上記弾性部材の前面には、全周にわたって突条部が形成されていて、上記突条部は上記キヤツプ部材により押圧変位されることを特徴とする請求項７記載のカメラのレンズ鏡枠装置。
【請求項１２】
さらに、上記弾性部材の前面における周方向の複数箇所には、上記キャップ部材と当接して光軸方向に変形可能な他の突条部が形成されていることを特徴とする請求項７記載のカメラのレンズ鏡枠装置。
【発明の詳細な説明】
【技術分野】
【０００１】
本発明は、カメラのレンズ鏡枠装置の構造、特に防水構造に関する。
【背景技術】
【０００２】
従来の防水機能を有するレンズ鏡枠装置として、繰り出し可能な鏡枠の外周に金属製の外枠を被せた構造を有するものがある。図８は、上述した金属製外枠を持つ鏡枠を適用する従来の鏡枠装置の一例を示すレンズ鏡枠装置の光軸Ｏに沿った断面図である。図９は、上記従来のレンズ鏡枠装置の第一群枠，第一群レンズ枠の光軸Ｏに沿った断面図である。
【０００３】
上記従来のレンズ鏡枠装置５０は、カメラボディに固定支持される固定枠５１と、固定枠に固着されるＣＣＤ取り付け板５８と、固定枠５１にヘリコイド結合し、回転，進退移動するカム枠５２と、カム枠５２にカム結合し、進退移動する第一群枠５３と、第一群枠５３の固着し、フォーカス駆動部を内蔵するフォーカス枠５４と、第一群レンズ７１を保持し、上記フォーカス駆動部によって進退駆動される第一群レンズ枠５５と、第二群レンズ７２を保持し、カム枠５２とカム結合して進退移動する第二群レンズ枠５６と、リング状ガイド５７ｃが固着されたフロートキー５７と、ＣＣＤ取り付け板５８に保持される光学ローパスフィルタ７３，ＣＣＤ７４とを有してなる。
【０００４】
第一群枠５３には、外周部に金属製外枠６３が被せられている。カム枠５２の外周部に金属製外枠６４が被せられている。それぞれの外枠６３，６４は、第一群枠外周に設けられる接着溜まり部５３ａ、または、カム枠外周に設けられる接着溜まり部５２ａに塗布される接着剤によって第一群枠５３、または、カム枠５２に接着固定される。
【０００５】
第一群枠５３と、相対移動する第一群レンズ枠５５の間には、防水機能を兼ねる可撓性の遮光ゴム６５がその端部をそれぞれ枠に固着した状態で装着される。また、固定枠５１と金属製外枠６４外周との間には防水用ゴムリング６７が配され、カム枠５２と金属製外枠６３の外周には防水用ゴムリング６６が配される。
【０００６】
また、図１０は、金属製外枠を有する従来の他の例を示すレンズ鏡枠装置における第一群枠，第一群レンズ枠の光軸Ｏに沿った断面図である。
【０００７】
この従来のレンズ鏡枠装置の第一群枠８１は、第一群レンズ８５を直接保持する枠部材である。したがって、第一群枠８１の前面には遮光ゴムは配されていない。
【０００８】
第一群枠８１の外周にも金属製外枠８３が被せられている。第一群レンズ８５の外周部は、第一群枠８１に対して防水接着剤８６により接着固定される。さらに、第一群枠８１の前面には、レンズ押さえ８４が固着されている。
【０００９】
特許文献１に開示されたものは、上述のように繰り出し可能な鏡枠の外周に金属製の外枠を被せた構造を採用したレンズ鏡胴に関するものであるが、防水構造についての記述はない。
【特許文献１】特許文献１は、特開平８−２７１７７６号公報である。
【発明の開示】
【発明が解決しようとする課題】
【００１０】
上述した図９，１０に示した従来のレンズ鏡枠装置においては、金属製外枠６３，８３と第一群枠５３，８１との嵌合部は、接着溜まり部５３ａ，８１ａに塗布される接着剤によって接着されているだけで全周にわたって防水がなされた状態にあるとはいえず、接着剤のむらや枠部材の真円度によって部分的に僅かな隙間が生じる可能性がある。したがって、金属製外枠６３，８３の前面側から侵入した水が上記隙間を通って鏡枠内部に達するといった問題があった。
【００１１】
本発明は、上述の問題を解決するためになされたものであり、枠部材の防水を構成部品を増やすことなく確実に行え、さらに、分解修理等も可能であるカメラのレンズ鏡枠装置を提供することを目的とする。
【課題を解決するための手段】
【００１２】
本発明の請求項１記載のカメラのレンズ鏡枠装置は、保持枠と、上記保持枠内に支持され、撮影光学系の光軸方向に移動可能な移動枠と、上記保持枠の前面部に対して固定保持されるための一端部と、上記移動枠に固定保持されるための他端部とを有し、上記移動枠の光軸方向移動に応じて伸縮自在であって、且つ外部からの塵や水を遮蔽可能に形成された弾性部材と、上記保持枠の外周に設けられた複数の突起部と、上記保持枠の上記前面部及び外周面を覆うように筒伏に形成されていて、上記保持枠の前面部側から光軸方向に沿って被せるようにして、組み込まれるキャップ部材と、組み込まれる上記キャップ部材を光軸方向及び円周方向に対して固定保持するために、上記キャップ部材に形成され、複数の上記突起部に対して係合するように設けられた複数の係合部とを具備し、上記弾性部材の上記一端部は、上記保持枠の前面部と上記キャップ部材との光軸方向の間に挟まれるようにして、固定される。
【００１３】
本発明の請求項２記載のカメラのレンズ鏡枠装置は、請求項１記載のカメラのレンズ鏡枠装置において、上記突起部は、上記保持枠が光軸方向に駆動するためのカム部材のカム部に係合するカムフォロアを兼用している。
【００１４】
本発明の請求項３記載のカメラのレンズ鏡枠装置は、請求項１記載のカメラのレンズ鏡枠装置において、上記弾性部材は、弾性ゴムである。
【００１５】
本発明の請求項４記載のカメラのレンズ鏡枠装置は、請求項１記載のカメラのレンズ鏡枠装置において、上記弾性部材は、上記一端部の前面が、上記キャップ部材と上記保持枠の前面部との間に挟まれるようにして固定保持される。
【００１６】
本発明の請求項５記載のカメラのレンズ鏡枠装置は、請求項４記載のカメラのレンズ鏡枠装置において、上記弾性部材の一端部の前面には、全周にわたって突条部が形成されていて、上記突条部は上記キヤツプ部材により押圧変位される。
【００１７】
本発明の請求項６記載のカメラのレンズ鏡枠装置は、請求項５記載のカメラのレンズ鏡枠装置において、さらに、上記弾性部材の一端部の前面における周方向の複数箇所には、上記キャップ部材と当接して光軸方向に変形可能な第２の突条部が形成されている。
【００１８】
本発明の請求項７記載のカメラのレンズ鏡枠装置は、保持枠と、上記保持枠の前面部に全周にわたって配設された弾性部材と、上記保持枠の外周に設けられた複数の突起部と、上記保持枠の上記前面部及び外周面を覆うように筒状に形成されていて、上記保持枠の前面部側から光軸方向に沿って被せるようにして、組み込まれるキャップ部材と、組み込まれる上記キャップ部材を光軸方向及び円周方向に対して固定保持するために、上記キャップ部材に形成され、複数の上記突起部に対して係合するように設けられた複数の係合部と、を具備し、上記キャップ部材は、上記保持枠に配設された上記弾性部材を押圧変形するように当接して、上記保持枠に対して容易に着脱可能に固定保持される。
【００１９】
本発明の請求項８記載のカメラのレンズ鏡枠装置は、請求項７記載のカメラのレンズ鏡枠装置において、上記突起部は、上記保持枠が光軸方向に駆動するためのカム部材のカム部に係合するカムフオロアを兼用している。
【００２０】
本発明の請求項９記載のカメラのレンズ鏡枠装置は、請求項７記載のカメラのレンズ鏡枠装置において、上記弾性部材は、弾性ゴムである。
【００２１】
本発明の請求項１０記載のカメラのレンズ鏡枠装置は、請求項７記載のカメラのレンズ鏡枠装置において、上記弾性部材は、前面が上記キャップ部材と上記保持枠の前面部との間に挟まれるようにして固定保持される。
【００２２】
本発明の請求項１１記載のカメラのレンズ鏡枠装置は、請求項７記載のカメラのレンズ鏡枠装置において、上記弾性部材の前面には、全周にわたって突条部が形成されていて、上記突条部は上記キヤツプ部材により押圧変位される。
【００２３】
本発明の請求項１２記載のカメラのレンズ鏡枠装置は、請求項７記載のカメラのレンズ鏡枠装置において、さらに、上記弾性部材の前面における周方向の複数箇所には、上記キャップ部材と当接して光軸方向に変形可能な第２の突条部が形成されている。
【発明の効果】
【００２４】
本発明によれば、枠部材の防水，防滴を構成部品を増やすことなく確実に行え、さらに、分解修理等も可能であるカメラのレンズ鏡枠装置を提供することができる。
【発明を実施するための最良の形態】
【００２５】
以下、図を用いて本発明の実施形態について説明する。  
図１は、本発明の第一の実施形態のカメラのレンズ鏡枠装置の光軸を通る縦断面図である。図２は、上記レンズ鏡枠装置の第一群枠部まわりの分解斜視図である。図３は、上記レンズ鏡枠装置の第一群枠，第一群レンズ枠の光軸を通る縦断面図である。図４は、図３のＡ矢視図である。図５は、図１のＢ部拡大図である。図６は、図５のＣ矢視図である。  
なお、本実施形態のレンズ鏡枠装置における撮影光学系のレンズ光軸を光軸Ｏとするが、該光軸Ｏと平行な方向をＺ方向とし、その被写体側を＋Ｚ側（前方）、結像側を−Ｚ側（後方）として以下の説明を行う。
【００２６】
本発明の第一の実施形態のカメラのレンズ鏡枠装置１０は、図１，２に示すようにカメラボディ（図示せず）に固定支持される固定枠１と、固定枠１に固着されるＣＣＤ取り付け板８と、固定枠１にヘリコイド結合し、回転，進退移動する保持枠であるカム枠２と、カム枠２にカム結合し、進退移動する保持枠である第一群枠３と、第一群枠３に固着され、フォーカス駆動部を内蔵するフォーカス枠４と、第一群レンズ２１を保持し、フォーカス枠４に進退可能に支持される移動枠である第一群レンズ枠５と、第二群レンズ２２を保持し、カム枠２とカム結合して進退駆動される第二群レンズ枠６と、フロートキー７と、ＣＣＤ取り付け板８に保持される光学ローパスフィルタ２３，ＣＣＤ２４と、第一群枠３と第一群レンズ枠５の間に配される弾性部材である遮光ゴム１５と、各鏡枠部材の枠間に配される弾性部材であるひれ付きの防水用ゴムリング１６，１７とを有してなる。
【００２７】
カム枠２は、円環状枠部材であり、外周部に金属製の外枠１４が被せられる。このカム枠２には、後端部外周に回転駆動用ギヤ部２ａと、固定枠側のヘリコイドネジに螺合するヘリコイドネジ部２ｅと、上記後端部の前側に３つの突起部である係合突起２ｄとが設けられ、さらに、内周部には光軸Ｏ方向に対して斜行するカム部であるカム溝２ｂ，２ｃが設けられる。カム枠２は、図示しないズーム駆動部のロングギヤによりギヤ部２ａを介して回転駆動されると、上記ヘリコイドねじ２ｅにより回転しながら光軸Ｏ方向に進退駆動される。
【００２８】
カム枠２の先端部内周には、ゴムリング１６が接着固定される。そのゴムリング１６の突条部かつ突起部である先端部１６ａは、カム枠２の先端部よりも突出して配されている。
【００２９】
外枠１４は、開口部を有する金属製筒状の外装部を形成するキャップ部材であり、後方外周部に３つの係合穴（係合部）１４ａが設けられる。この外枠１４は、カム枠２の外周部に嵌合、且つ、係合穴にて係合して防水結合されるがその防水結合構造については、後で説明する。
【００３０】
フロートキー７は、リング形状を有しており、外周方向への突起７ａと、前方へ光軸Ｏと平行に延出する直進ガイド部７ｂとが設けられている。さらに、前面側にリング状ガイド７ｃがビス１９によって固着されている。リング状ガイド７ｃは、カム枠２の内周部に設けられる周方向溝に摺動自在に嵌入する。また、直進ガイド部７ｂは、固定枠１の内周部に設けられる光軸Ｏ方向の直進ガイド溝に摺動自在に嵌入する。したがって、フロートキー７は、カム枠２が回転しながら進退移動した場合、固定枠１に対して回転規制された状態でカム枠２とともに光軸Ｏ方向に進退移動する。
【００３１】
第一群枠３は、円環状枠部材であり、外周部に金属製の外枠１３が被せられる。この第一群枠３には内周部にフォーカス枠４がビス挿通穴３ｂを挿通させたビス１８によって固着されている。外周部に外枠１３嵌入のための嵌合逃げ部３ｃが設けられ、前面部に段部３ｄが設けられる。第一群枠３の後端部外周のピン穴３ａには突起部であるカムフォロア１１が圧入固着される。カムフォロア１１は、カム枠２のカム溝２ｂに摺動自在に嵌入する。また、第一群枠３に固着されているフォーカス枠４には、フロートキー７の直進ガイド部７ｂの先端部が摺動自在に嵌入している。したがって、第一群枠３は、カム枠２が回転しながら進退移動した場合、回転規制状態でカム溝２ｂによって光軸Ｏ方向に進退移動する。
【００３２】
外枠１３は、開口部を有する金属製筒状の外装部を形成するキャップ部材であり、図４に示すように後方側に突出する３つの突出部１３ａを有し、その突出部にカムフォロア１１が挿通する３つの係合部である長穴１３ｂが設けられる。この外枠１３は、第一群枠３の段部３ｄとの間で遮光ゴム１５の取り付け部１５ａを挟持した状態で第一群枠３の外周部に嵌合され、且つ、上記係合部にて上記カムフォロア１１を介して係合して防水結合されるがその防水結合構造については後で説明する。
【００３３】
第一群レンズ枠５は、第一群レンズ２１を保持する移動枠部材であって、フォーカス枠４によって光軸Ｏ方向に進退自在に支持され、フォーカシング時にフォーカス枠内蔵のフォーカス駆動部によって進退駆動される。第一群レンズ２１は、第一群レンズ枠５の中央開口部にて接着固定後、さらに、防水のための防水接着を施して保持される。第一群枠３と第一群レンズ枠５の前面部には、後述する遮光ゴム１５が配される。
【００３４】
遮光ゴム１５は、弾性ゴムで形成され、両端にリング状の一端部である第一群枠取り付け部１５ａと他端部である保持枠取り付け部１５ｂと、取り付け部１５ａ，１５ｂを連結する可撓部１５ｃとを有している。取り付け部１５ａには、全周にわたる可撓性の突条部であるひれ部１５ｅと、周方向３箇所に前方に突出する他の突条部である突起部１５ｄとが設けられる。この遮光ゴム１５は、取り付け部１５ａ側の突起部１５ｄを圧縮した状態で第一群枠３の段部３ｄと外枠１３とで挟持され、また、ひれ部１５ｅが外枠１３の内面に密着した状態に保持され、さらに、取り付け部１５ｂ側を第一群レンズ枠５に前面外周に接着した状態で第一群枠３と第一群レンズ枠５との間に支持される。相対移動する第一群枠３と第一群レンズ枠５の間は、遮光ゴム１５の可撓部１５ｃが介在し、防水、防塵、遮光状態で密封される。
【００３５】
第二群レンズ枠６は、第二群レンズ２２を保持する枠部材であって、外周部にカム枠２のカム溝２ｃに嵌入するカムフォロア１２が固着されている。この第二群レンズ枠６は、フロートキー７の直進ガイド部７ｂによって直進ガイドされて支持される。ズーム駆動時にカム枠２が回転，進退駆動された場合、第二群レンズ枠６は、回転規制状態でカム溝２ｃによって光軸Ｏ方向に進退移動する。
【００３６】
次に、第一群枠３と外枠１３との防水結合構造について、図３，４等を用いて説明する。  
第一群枠３の前方の段部３ｄに遮光ゴム１５の取り付け部１５ａを装着した状態で第一群枠３の外周に外枠１３をガタなく嵌入させて結合させるが、その嵌入状態では、遮光ゴム１５の取り付け部１５ａに設けられる突起部１５ｄが第一群枠３の前方の段部３ｄと外枠１３の前壁内面とによってＺ方向に圧縮される。その状態でカムフォロア１１を外枠１３の長穴１３ｂから挿入し、第一群枠３のピン穴３ａに圧入固着する。外枠１３は、遮光ゴム１５の突起部１５ｄの圧縮力で＋Ｚ方向に押圧付勢され、かつ、カムフォロア１１の外径部１１ａが外枠１３の長穴１３ｂの端部に当接した状態で第一群枠３に対してＺ方向に所定の保持力で固定保持される。同時に遮光ゴム１５のひれ部１５ｅは、外枠１３の前壁内面に沿って変形し、密着する。外枠１３の前壁内面と第一群枠３の先端面との間には、僅かな隙間が残っており、後述するように外枠１３は、第一群枠３に対して該僅かな隙間分、光軸Ｏ方向に押圧変位が可能である。
【００３７】
従って、外枠１３の内周と第一群枠３の外周との嵌合部は、ひれ部１５ｅによって外部と遮蔽され、完全な防水状態（防滴を含む）が得られる。また、外枠１３の外周部とカム枠２の内周部との隙間もレンズ鏡枠装置１０の組み立て状態では、カム枠２に装着されるゴムリング１６のひれ部が摺接することから外部に対して防水状態に保持される。
【００３８】
さらに、第一群枠３と外枠１３とは、接着固定されていないために組み立て後の分解が可能である。すなわち、外枠１３を第一群枠３から取り外すには外枠１３を第一群枠１３に対して−Ｚ方向に押しながら圧入されているカムフォロア１１を第一群枠３から抜き取れば、外枠１３を第一群枠３から取り外すことができる。
【００３９】
次に、カム枠２と外枠１４との防水結合構造について、図１，５，６を用いて説明する。  
カム枠２の先端部内周にゴムリング１６が接着固定された状態のカム枠２の外周に外枠１４をガタなく嵌入させ、結合させるが、その嵌入状態では、ゴムリング１６の前方に突出している先端部１６ａが外枠１４の前壁内面で押圧されてＺ方向に圧縮され、かつ、先端部１６ａと外枠１４の前壁内面とが密着する。その状態で外枠１４の係合穴１４ａにカム枠２の外周部の係合突起２ｄを係合させる（図５，６）。外枠１４は、ゴムリング１６の圧縮力で＋Ｚ方向に押圧付勢されているので係合突起２ｄが係合穴１４ａの後方端に当接し、カム枠２に対してＺ方向に所定の保持力で固定支持された状態となる。
【００４０】
従って、外枠１４の内周とカム枠２の外周との嵌合部は、ゴムリング１６の先端部１６ａによって外部と遮蔽され、確実に防水状態（防滴を含む）に保持される。一方、外枠１４の外周部と固定枠１の内周部との隙間もレンズ鏡枠装置１０の組み立て状態で固定枠１に装着されるゴムリング１７のひれ部が摺接することから外部に対して防水状態に保持される。
【００４１】
カム枠２と外枠１４とは、接着固定されていないために組み立て後も分解が可能である。すなわち、外枠１４をカム枠２から取り外すには、外枠１４を−Ｚ方向に押圧移動させながら係合穴１４ａとカム枠２の係合突起２ｄとの係合を外せば、外枠１４は、カム枠２から取り外すことができる。
【００４２】
上述した本実施形態のレンズ鏡枠装置１０によれば、第一群枠３と外枠１３との嵌合隙間、および、カム枠２と外枠１４との嵌合隙間の防水が元来他の目的で配される遮光ゴム１５、また、ゴムリング１６によってなされる。すなわち、遮光ゴム１５の突起部１５ｄおよびひれ部１５ｅ、また、ゴムリング１６の先端部１６ａを互いの枠間で光軸Ｏ方向に圧接かつ密着させて外部と遮蔽することによって確実な防水状態（防塵を含む）が得られる。このように嵌合関係にある枠部材間の防水を構成部品を増やすことなく確実に行うことができる。
【００４３】
また、一旦、組み付けられた第一群枠３と外枠１３と、また、カム枠２と外枠１４とは、それぞれ接着固定されないことから必要に応じて分解が可能であり、修理上有利である。さらに、レンズ鏡枠装置１０を万一、落下させた場合、外枠１３の内側にある遮光ゴム１５の突起部１５ｄが落下による衝撃力を受ける緩衝材として作用する。
【００４４】
次に、本発明の第二の実施形態のレンズ鏡枠装置について説明する。  
図７は、本実施形態のレンズ鏡枠装置を構成する第一群枠の光軸Ｏを通る縦断面図である。
【００４５】
本実施形態のレンズ鏡枠装置では、図７に示すように第一群レンズ枠がフォーカシング駆動されず、第一群枠３３に直接、保持されており、その部分の構造が前記第一の実施形態のレンズ鏡枠装置１０と異なっている。従って、本レンズ鏡枠装置には、第一実施形態に適用されている遮光ゴム１５が配されていない。そして、本レンズ鏡枠装置においては、保持枠である第一群枠３３とその外周に被せられる金属製外装のキャップ部材である外枠３５との嵌合部の防水を行うために、第一群枠３３の前面部の段部３３ｃと外枠３５の前壁内面との間に遮光ゴム１５の取り付け部１５ａに代えて弾性部材である防水ゴム３６が配される。
【００４６】
防水ゴム３６は、弾性ゴムで形成されるリング形状を有し、全周にわたる可撓性の突条部であるひれ部３６ｃと、周方向３箇所に前方に突出する他の突条部である突起部３６ｂとを有している。
【００４７】
第一群枠３３と外枠３５との防水結合構造について説明すると、第一群枠３３の前方の段部３３ｄに防水ゴム３６を装着した状態で第一群枠３３の外周に外枠３５をガタなく嵌入させて結合させるが、その嵌入状態では、第一群枠３３の前方の段部３３ｄと外枠３５の前壁内面とによって防水ゴム３６の突起部３６ｂがＺ方向に圧縮される。その状態でカムフォロア３４を外枠３５の係合部である長穴３５ａから挿入し、第一群枠３３のピン穴に圧入固着する。外枠３５は、防水ゴム３６の突起部３６ｂの圧縮力で＋Ｚ方向に押圧付勢され、カムフォロア３４の外径部３４ａが外枠３５の長穴３５ａの端部に当接して、第一群枠３３に対してＺ方向に所定の保持力で固定保持される。同時に防水ゴム３６のひれ部３６ｃは、外枠３５の前壁内面に沿って変形し、密着する。この場合も第一群枠３３と外枠３５との嵌合部の接着は行わず、外枠３５は、第一群枠３３から取り外し可能である。
【００４８】
従って、外枠３５の内周と第一群枠３３の外周との嵌合部は、ひれ部３６ｃによって外部と遮蔽され、完全な防水状態（防滴を含む）が得られる。
【００４９】
なお、第一群枠３３には、第一群レンズ２１が接着固定され、さらに、防水接着剤３８により第一群レンズ２１の外周で防水接着がなされる。また、第一群枠３３のレンズ外周部前面には飾りリング３７が固着される。
【００５０】
本実施形態のレンズ鏡枠装置においても第一の実施形態のレンズ鏡枠装置１０の場合と同様の効果を奏する。
【００５１】
なお、第一群枠３３にカムフォロアを圧入固着することによって外枠３５が第一群枠３３に固定されているが、上記枠部材がカムフォロアを必要としない枠であった場合は、カムフォロアに代えて係止専用用の圧入ピンを適用する構成としてもよい。
【産業上の利用可能性】
【００５２】
本発明のカメラのレンズ鏡枠装置は、枠部材の防水を構成部品を増やすことなく確実に行え、さらに、分解修理等も可能であるカメラのレンズ鏡枠装置として利用可能である。
【図面の簡単な説明】
【００５３】
【図１】本発明の第一の実施形態のカメラのレンズ鏡枠装置の光軸を通る縦断面図である。
【図２】図１のレンズ鏡枠装置の第一群枠部まわりの分解斜視図である。
【図３】レンズ鏡枠装置の第一群枠，第一群レンズ枠の光軸を通る縦断面図である。
【図４】図３のＡ矢視図である。
【図５】図１のＢ部拡大図である。
【図６】図５のＣ矢視図である。
【図７】本発明の第二の実施形態のレンズ鏡枠装置に適用される第一群枠の光軸を通る縦断面図である。
【図８】従来のレンズ鏡枠装置の光軸を通る縦断面図である。
【図９】図８の従来のレンズ鏡枠装置の第一群枠，第一群レンズ枠の光軸を通る縦断面図である。
【図１０】他の従来のレンズ鏡枠装置に適用される第一群枠の光軸を通る縦断面図である。
【符号の説明】
【００５４】
２  …カム枠（保持枠，カム部材）
２ｂ…カム溝（カム部）
２ｄ…係合突起（突起部）
３，３３
…第一群枠（保持枠）
５  …第一群レンズ枠（移動枠）
１１，３４
…カムフォロア（突起部）
１３，１４，３５
…外枠（キャップ部材）
１３ｂ，３５ａ
…長穴（係合部）
１４ａ…係合穴（係合部）
１５  …遮光ゴム（弾性部材）
１５ａ…取り付け部（弾性部材の一端部）
１５ｂ…取り付け部（弾性部材の他端部）
１５ｄ…突起部（他の突条部）
１５ｅ…ひれ部（突条部）
１６
…ゴムリング（弾性部材）
１６ａ…先端部（突条部）
３６  …防水ゴム（弾性部材）
３６ｂ…突起部（他の突条部）
３６ｃ…ひれ部（突条部）
代理人      弁理士    伊  藤    進
【図１】
2005338415.tif 000003
【図２】
2005338415.tif 000004
【図３】
2005338415.tif 000005
【図４】
2005338415.tif 000006
【図５】
2005338415.tif 000007
【図６】
2005338415.tif 000008
【図７】
2005338415.tif 000009
【図８】
2005338415.tif 000010
【図９】
2005338415.tif 000011
【図１０】
2005338415.tif 000012